(57)【要約】【課題】簡易な構成であり、かつ効果的なミラーバウンド抑制が可能な撮像装置を提供すること。【解決手段】撮影光学系から入射された撮影光束を光電変換する撮像素子と、前記撮影光学系から前記撮像素子までの光路内に位置する第１の状態と、前記光路外に位置する第２の状態との間で回動可能なミラー部材と、前記第１の状態である前記ミラー部材と当接する当接部材と、前記ミラー部材が前記当接部材と衝突すると弾性変形可能な弾性部材と、前記ミラー部材の振動を抑制するためのおもりと、を備えるバウンド抑制部材と、を有する。【選択図】図２
2015108776.tif 000002
【特許請求の範囲】
【請求項１】
撮影光学系から入射された撮影光束を光電変換する撮像素子と、
前記撮影光学系から前記撮像素子までの光路内に位置する第１の状態と、前記光路外に位置する第２の状態との間で回動可能なミラー部材と、
前記第１の状態である前記ミラー部材と当接する当接部材と、
前記ミラー部材が前記当接部材と衝突すると弾性変形可能な弾性部材と、前記ミラー部材の振動を抑制するためのおもりと、を備えるバウンド抑制部材と、を有することを特徴とする撮像装置。
【請求項２】
前記弾性部材の第１端は、前記ミラー部材に取り付けられ、
前記おもりは、前記弾性部材の第２端に取り付けられ、
前記弾性部材は、前記第１端を中心にして弾性変形可能であることを特徴とする請求項１に記載の撮像装置。
【請求項３】
前記バウンド抑制部材は、前記ミラー部材が前記当接部材と衝突すると前記ミラー部材の振動方向とは反対方向に弾性変形した後、前記ミラー部材が最大振幅位置に達してから前記当接部材と再び衝突するまでの間に前記ミラー部材と衝突することを特徴とする請求項１または２に記載の撮像装置。
【請求項４】
前記バウンド抑制部材が、前記ミラー部材が前記当接部材と衝突した際に前記ミラー部材の振動方向とは反対方向に弾性変形するための所定の慣性モーメントと、前記ミラー部材が最大振幅位置に達してから前記当接部材と再び衝突するまでの間に前記ミラー部材と衝突するための所定の固有周期を有するように、前記おもりおよび前記弾性部材は、それぞれ所定の質量および所定のばね定数を有することを特徴とする請求項３に記載の撮像装置。
【請求項５】
前記ミラー部材が前記第２の状態において、前記バウンド抑制部材の少なくとも一部を覆う覆い部材を更に有することを特徴とする請求項１から４のいずれか１項に記載の撮像装置。
【請求項６】
前記ミラー部材が前記第２の状態において、前記覆い部材は、前記弾性部材の弾性変形を規制することを特徴とする請求項５に記載の撮像装置。
【請求項７】
前記覆い部材は、前記ミラー部材を透過した撮影光束を反射するサブミラーを保持するサブミラー保持部材であることを特徴とする請求項５または６に記載の撮像装置。
【請求項８】
前記ミラー部材は、前記第２の状態において、前記バウンド抑制部材を収納可能な領域を有することを特徴とする請求項１から７のいずれか１項に記載の撮像装置。
【請求項９】
前記バウンド抑制部材は、前記ミラー部材の回動軸と反対側の辺に沿うように配置されていることを特徴とする請求項１から８のいずれか１項に記載の撮像装置。
【請求項１０】
前記バウンド抑制部材は、前記ミラー部材の非対物面側に取り付けられることを特徴とする請求項１から９のいずれか１項に記載の撮像装置。
【請求項１１】
前記弾性部材は、板ばねであることを特徴とする請求項１から１０のいずれか１項に記載の撮像装置。
【請求項１２】
前記ミラー部材を透過した撮影光束を保持するサブミラー保持部材を更に有し、
前記サブミラー保持部材は、
前記ミラー部材が前記当接部材と衝突すると弾性変形する弾性部と、
前記弾性部の弾性変形によって前記ミラー部材の振動を抑制するように移動可能なバウンド抑制可動部と、を備えていることを特徴とする請求項１から４のいずれか１項に記載の撮像装置。
【請求項１３】
請求項１から１２のいずれか１項に記載の撮像装置と、
前記撮像装置に着脱可能に交換される交換レンズと、を有することを特徴とするカメラシステム。
【発明の詳細な説明】
【技術分野】
【０００１】
本発明は、例えば一眼レフカメラ等の撮像装置に関し、特にファインダー観察用のクイックリターンミラー(測距用含む)を備えた撮像装置に関する。
【背景技術】
【０００２】
従来、一眼レフカメラ等のクイックリターンミラー機構では、メインミラーおよびサブミラーを撮影光学系からの光路（撮影光路）の内外に高速で回動させる。撮影光路内では、各ミラーは、ミラーボックスに設けられたストッパに当接することで所定の停止位置に位置決めされ、ファインダー光学系や焦点検出ユニットに光を導く。
【０００３】
クイックリターンミラー機構においては、ミラーを撮影光路外から撮影光路内に高速回動させたときにストッパに衝突することでミラーがバウンドする現象（以下、ミラーバウンドという）が発生する。ミラーバウンドは、ファインダー像が安定するまでの時間を増加させ、焦点検出を遅らせるという問題がある。
【０００４】
ミラーバウンドを抑制する手段として、例えば特許文献１では、可動の慣性体にミラーを当てることで、ミラーのバウンドをなくす構成が開示されている。また、特許文献２では、振動抑制部材がミラーバウンド時にミラーに当接することで、バウンドを抑制する構成が開示されている。
【先行技術文献】
【特許文献】
【０００５】
【特許文献１】特開平０９−２７４２４９号公報
【特許文献２】特開２０１０−１６０２１１号公報
【発明の概要】
【発明が解決しようとする課題】
【０００６】
しかしながら、特許文献１に開示された従来技術は複雑な構成のため、装置のコストアップや大型化の原因となる。また、特許文献２に開示された従来技術は簡易な構成でミラーの弾性変形振動が抑制されるが、ミラーバウンドのエネルギー消費に関する考慮がなく、バウンド抑制効果が不十分である。
【０００７】
このような課題を鑑みて、本発明は、簡易な構成であり、かつ効果的なミラーバウンド抑制が可能な撮像装置を提供することを目的とする。
【課題を解決するための手段】
【０００８】
本発明の一側面としての撮像装置は、撮影光学系から入射された撮影光束を光電変換する撮像素子と、前記撮影光学系から前記撮像素子までの光路内に位置する第１の状態と、前記光路外に位置する第２の状態との間で回動可能なミラー部材と、前記第１の状態である前記ミラー部材と当接する当接部材と、前記ミラー部材が前記当接部材と衝突すると弾性変形可能な弾性部材と、前記ミラー部材の振動を抑制するためのおもりと、を備えるバウンド抑制部材と、を有することを特徴とする。
【発明の効果】
【０００９】
本発明によれば、簡易な構成であり、かつ効果的なミラーバウンド抑制が可能な撮像装置が提供できる。
【図面の簡単な説明】
【００１０】
【図１】本発明の実施形態に係る撮像装置の概略構成図である。
【図２】実施例１のクイックリターンミラーユニットおよびバウンド抑制部材の斜視図である。
【図３】実施例１のメインミラーおよびバウンド抑制部材の挙動を説明する図である。
【図４】実施例１のメインミラーおよびバウンド抑制部材中のおもりの挙動のシミュレーション結果を示した図である。
【図５】実施例１の変形例であるクイックリターンミラーユニットおよびバウンド抑制部材の斜視図である。
【図６】実施例２のクイックリターンミラーユニットおよびバウンド抑制部材の斜視図である。
【図７】実施例２のクイックリターンミラーユニットおよびバウンド抑制部材の挙動を説明する図である。
【図８】実施例２のメインミラーおよびバウンド抑制部材中のおもりの挙動のシミュレーション結果を示した図である。
【図９】実施例２のミラーアップ位置におけるクイックリターンミラーユニットおよびバウンド抑制部材の側面図である。
【図１０】実施例２の変形例であるクイックリターンミラーユニットおよびバウンド抑制部材の斜視図である。
【図１１】実施例３のクイックリターンミラーユニットの斜視図である。
【発明を実施するための形態】
【００１１】
以下、本発明の実施例について、図面を参照しながら詳細に説明する。各図において、同一の部材については同一の参照番号を付し、重複する説明は省略する。
【実施例１】
【００１２】
図１は、本発明の実施形態に係る一眼レフデジタルカメラ（撮像装置）の概略構成図である。図２は、本実施例のクイックリターンミラーユニットおよびミラーバウンド抑制部材の斜視図である。
【００１３】
撮像装置にあたるカメラ本体１と、カメラ本体１に着脱可能であり、撮影光学系を内蔵した撮影レンズ（交換レンズ）２によりカメラシステムが構成される。
【００１４】
ファインダー光学系４は、被写体像を観察するために設けられている。撮像素子ユニット５は、ＣＭＯＳセンサやＣＣＤセンサ等の撮像素子や各種光学フィルタを含んでいる。焦点検出ユニット６は、ＴＴＬ位相差検出方式で撮影光学系のデフォーカス量を検出する、すなわち焦点検出を行う。
【００１５】
クイックリターンミラーユニット（ミラー部材）３は、メインミラー１１、メインミラー保持部材１２、サブミラー１３およびサブミラー保持部材１４を備えている。
【００１６】
メインミラー１１はハーフミラーにより構成されており、メインミラー保持部材１２はメインミラー１１を保持する。メインミラー保持部材１２に設けられた軸部１２ａは、ミラーボックス２１に回動可能に取り付けられている。メインミラー保持部材１２は、メインミラー１１が撮影光学系から撮像素子ユニット５に向かう光路（撮影光路）内のミラーダウン位置と撮影光路から退避したミラーアップ位置との間を、軸部１２ａを中心として回動する。なお、図１は、ミラーダウン位置の状態を示している。
【００１７】
ミラーダウン位置では、メインミラー１１は、撮影光学系からの光の一部を反射してファインダー光学系４に導き、残りの光を透過させる。これにより、撮影者は、ファインダー光学系４を通して被写体像の観察が可能になる。ミラーアップ位置では、撮影光学系から入射された撮影光束を撮像素子ユニット５が光電変換を行う。
【００１８】
サブミラー保持部材１４は、サブミラー１３を保持する。サブミラー保持部材１４は、メインミラー保持部材１２に設けられた軸部１２ｂに回動可能に取り付けられている。
【００１９】
ミラーダウン位置では、サブミラー保持部材１４は、サブミラー１３が撮影光路内におけるメインミラー１１の後方に位置するように位置決めされる。この位置で、サブミラー１３は、メインミラー１１を透過してきた光を反射して焦点検出ユニット６に導く。また、ミラーアップ位置では、サブミラー保持部材１４は、サブミラー１３が撮影光路外に配置されるようにメインミラー保持部材１２に対して折り畳まれる。
【００２０】
ミラーボックス２１内には、メインミラー保持部材１２が当接するメインミラーストッパ（当接部材）２２が設けられている。ミラー駆動部材（不図示）によりミラーアップ位置からミラーダウン位置に回動したメインミラー保持部材１２がメインミラーストッパ２２に当接することで、メインミラー１１がダウン位置に位置決めされる。
【００２１】
メインミラー保持部材１２において、メインミラー１１を保持している面と逆の面(以下、非対物面という)には、バウンド抑制部材１５が取り付けられている。バウンド抑制部材１５は、メインミラー保持部材１２内に収まるようにレイアウトされている。
【００２２】
バウンド抑制部材１５は、弾性変形可能な板ばね１６、おもり１７および固定ピン１８から構成されている。板ばね１６の第１端１６ａは、固定端であり、メインミラー保持部材１２の非対物面の軸部１２ａ側に固定ピン１８により取り付けられている。板ばね１６の第２端１６ｂは自由端であり、おもり１７が取り付けられている。板ばね１６の第２端１６ｂは、静止状態でメインミラー保持部材１２の非対物面と接触している。ミラーアップ位置からミラーダウン位置に回動したメインミラー保持部材１２がメインミラーストッパ２２に当接した際に、板ばね１６が弾性変形することによって、板ばね１６の第２端１６ｂはメインミラー保持部材１２の非対物面と分離可能となっている。なお、また、おもり１７は、ミラーアップ位置でも撮影光学系を遮らない位置に配置されている。
【００２３】
図３は、ミラーアップ位置からミラーダウン位置に回動したメインミラー保持部材１２がメインミラーストッパ２２に当接する際の、メインミラー保持部材１２およびバウンド抑制部材１５のおもり１７の挙動を経過時間順に示している。図中の反時計回りをダウン方向、時計回りをアップ方向とする。また、図中の矢印ＡおよびＢは、メインミラー保持部材１２およびおもり１７のそれぞれの角速度の向きを示している。
【００２４】
また、図４は、ミラーダウン時のメインミラー保持部材１２およびおもり１７の軸部１２ａを回転中心としたときの変位角度のシミュレーション結果を示している。メインミラー保持部材１２がミラーダウン位置で、板ばね１６がメインミラー保持部材１２の非対物面に接触した状態での、メインミラー保持部材１２およびおもり１７の変位角度を０としている。また、ミラーダウン位置からミラーアップ位置に向かう方向を正としている。図中の（ａ）〜（ｅ）は、それぞれ図３（ａ）〜（ｅ）におけるシミュレーション結果を示している。
【００２５】
図３（ａ）は、メインミラー保持部材１２がミラーアップ位置からミラーダウン位置に回動している途中の状態を示している。このとき、おもり１７は、メインミラー保持部材１２と一体で回動する。したがって、メインミラー保持部材１２の角速度の向きＡおよびおもり１７の角速度の向きＢも同じダウン方向である。図４中の（ａ）においてもメインミラー保持部材１２とおもり１７の挙動は一致している。
【００２６】
図３（ｂ）は、メインミラー保持部材１２がミラーダウン位置に到達した状態を示している。このとき、メインミラー保持部材１２は、メインミラーストッパ２２に当接した後、メインミラーストッパ２２から反発力を受けバウンドする。一方、おもり１７は、慣性によりそのまま動き続けようとする。このとき、板ばね１６がメインミラー保持部材１２の振動方向とは反対方向に弾性変形する。そのため、第２端１６ｂがメインミラー保持部材１２の非対物面と分離し、図４中の（ｂ）に示されるようにメインミラー保持部材１２とおもり１７は二体運動となる。このとき、メインミラー保持部材１２の角速度の向きＡはアップ方向、おもり１７の角速度の向きＢはダウン方向となる。メインミラー保持部材１２の板ばね１６固定部分にはメインミラー保持部材１２のバウンドを妨げる方向にモーメントが働き、バウンドが抑制される。
【００２７】
その後、図３（ｃ）に示される状態となる。このとき、メインミラー保持部材１２のバウンドの振幅が最大となり、図４中の（ｃ）に示されるように角速度が０となる。
【００２８】
一方、板ばね１６は弾性変形した後に変形が解消され、再び第２端１６ｂがメインミラー保持部材１２の非対物面に衝突する。この衝突のタイミングを図３（ｄ）および図４中の（ｄ）に示されるように、メインミラー保持部材１２がバウンドの最大振幅位置に達した後、再びメインミラー保持部材１２がメインミラーストッパ２２に衝突してバウンドする前とする。これにより、衝突時のメインミラー保持部材１２の角速度の向きＡはダウン方向、おもり１７の角速度の向きＢはアップ方向となる。すなわち、逆向きの角速度を持った物体の衝突が起きるため、回転運動エネルギーが効果的に消費され、さらなるバウンドの抑制効果が生じる。
【００２９】
最終的に、図３（ｅ）および図４中の（ｅ）に示されるように、板ばね１６の自由端１６ｂがメインミラー保持部材１２の非対物面に接触した状態で、ミラーダウン位置で静止する。
【００３０】
上述したように、メインミラー保持部材１２のバウンドを抑制するための条件に合致するため、バウンド抑制部材１５が軸部１２ａ回りでの所定の慣性モーメントならびに所定の固有周期を有する必要がある。そのため、おもり１７の質量および板ばね１６のばね定数は所定の値に設定される。
【００３１】
図４に示されるように、メインミラー保持部材１２に所定の値に設定された板ばね１６およびおもり１７を含むバウンド抑制部材１５を搭載することで、搭載していないものに比べ、メインミラー保持部材１２のバウンドが抑制される。
【００３２】
以上のように、本実施例によれば、簡易な構成かつ省スペースで効果的なミラーバウンド抑制効果を得られる。
【００３３】
また、図５に示されるように、板ばね１６をメインミラー保持部材１２の軸部１２ａに平行に、かつメインミラー保持部材１２の軸部１２ａ側の辺とは反対側の辺の先端付近に配置してもよい。ミラーダウン位置に移行する際、バウンド抑制部材１５は、図３および図４と同様の動作および効果を示す。
【００３４】
おもり１７が軸部１２ａ回りでの所定の慣性モーメントを得るにあたっては、おもり１７の位置が軸部１２ａから離れているほどおもり１７の質量は小さくて済む。また、おもり１７からの力によってメインミラー保持部材１２のバウンドを妨げるモーメントを得るにあたっては、板ばね１６のメインミラー保持部材１２との固定位置が軸部１２ａから離れているほど、より大きなモーメントが得られる。よって板ばね１６の第１端１６ａと第２端１６ｂは、軸部１２ａからできるだけ離して配置するのが望ましい。
【００３５】
図５のような構成を有することで、ミラーユニット全体の質量増加を抑えることができる。
【実施例２】
【００３６】
図６は、本実施例のクイックリターンミラーユニットおよびバウンド抑制部材の斜視図である。
【００３７】
サブミラー保持部材１４には例えばゴムのような、弾性部材１９が取り付けられている。また、おもり１７は、メインミラー保持部材１２の非対物面側に設けられている。その他の構成は、実施例１と同様である。
【００３８】
図７は、ミラーアップ位置からミラーダウン位置に回動したメインミラー保持部材１２がメインミラーストッパ２２に当接する際の、メインミラー保持部材１２およびバウンド抑制部材１５のおもり１７の挙動を経過時間順に示している。図中の反時計回りをダウン方向、時計回りをアップ方向とする。また、図中の矢印ＡおよびＢは、メインミラー保持部材１２およびおもり１７のそれぞれの角速度の向きを示している。
【００３９】
また、図８は、ミラーダウン時のメインミラー保持部材１２およびおもり１７の軸部１２ａを回転中心としたときの変位角度のシミュレーション結果を示している。メインミラー保持部材１２がミラーダウン位置で、おもり１７がメインミラー保持部材１２の非対物面に接触した状態での、メインミラー保持部材１２およびおもり１７の変位角度を０としている。また、ミラーダウン位置からミラーアップ位置に向かう方向を正としている。図中の（ａ）〜（ｅ）は、それぞれ図７（ａ）〜（ｅ）におけるシミュレーション結果を示している。
【００４０】
図７（ａ）は、メインミラー保持部材１２がミラーアップ位置からミラーダウン位置に回動している途中の状態を示している。このとき、おもり１７は、メインミラー保持部材１２と一体で回動する。したがって、メインミラー保持部材１２の角速度の向きＡおよびおもり１７の角速度の向きＢも同じダウン方向である。図８中の（ａ）においてもメインミラー保持部材１２とおもり１７の挙動は一致している。
【００４１】
図７（ｂ）は、メインミラー保持部材１２がミラーダウン位置に到達した状態を示している。このとき、メインミラー保持部材１２は、メインミラーストッパ２２に当接した後、メインミラーストッパ２２から反発力を受けバウンドする。一方、おもり１７は、慣性によりそのまま動き続けようとする。このとき、板ばね１６がメインミラー保持部材１２の振動方向とは反対方向に弾性変形する。そのため、第２端１６ｂがメインミラー保持部材１２の非対物面と分離し、図８中の（ｂ）に示されるようにメインミラー保持部材１２とおもり１７は二体運動となる。このとき、メインミラー保持部材１２の角速度の向きＡはアップ方向、おもり１７の角速度の向きＢはダウン方向となる。メインミラー保持部材１２の板ばね１６固定部分にはメインミラー保持部材１２のバウンドを妨げる方向にモーメントが働き、バウンドが抑制される。
【００４２】
その後、図７（ｃ）に示される状態となる。このとき、メインミラー保持部材１２のバウンドの振幅が最大となり、図８中の（ｃ）に示されるように角速度が０となる。
【００４３】
一方、板ばね１６は弾性変形した後に変形が解消され、再び自由端１６ｂがメインミラー保持部材１２の非対物面に衝突する。この衝突のタイミングを図７（ｄ）および図８中の（ｄ）に示されるように、メインミラー保持部材１２がバウンドの最大振幅位置に達した後、再びメインミラー保持部材１２がメインミラーストッパ２２に衝突してバウンドする前とする。これにより、衝突時のメインミラー保持部材１２の角速度の向きＡはダウン方向、おもり１７の角速度の向きＢはアップ方向となる。すなわち、逆向きの角速度を持った物体の衝突が起きるため、回転運動エネルギーが効果的に消費され、さらなるバウンドの抑制効果が生じる。
【００４４】
最終的に、図７（ｅ）および図８中の（ｅ）に示されるように、板ばね１６の自由端１６ｂがメインミラー保持部材１２の非対物面に接触した状態で、ミラーダウン位置で静止する。
【００４５】
上述したように、メインミラー保持部材１２のバウンドを抑制するための条件に合致するため、バウンド抑制部材１５が軸部１２ａ回りでの所定の慣性モーメントならびに所定の固有周期を有する必要がある。そのため、おもり１７の質量および板ばね１６のばね定数は所定の値に設定される。
【００４６】
図８に示されるように、メインミラー保持部材１２に所定の値に設定された板ばね１６およびおもり１７を含むバウンド抑制部材１５を搭載することで、搭載していないものに比べ、メインミラー保持部材１２のバウンドが抑制される。
【００４７】
図９は、ミラーアップ位置におけるクイックリターンミラーユニット３およびバウンド抑制部材１５の側面図である。
【００４８】
本実施例では、サブミラー保持部材１４がサブミラー１３を撮影光路外に配置する際、サブミラー保持部材１４に取り付けられた弾性部材１９が板ばね１６の第２端１６ｂに当接するようになっている。これによりミラーアップ位置に到達した際のバウンド抑制部材１５の振動を規制し、バウンド抑制部材１５の撮像面への映り込みを防止する。
【００４９】
また、本実施例では、メインミラー保持部材１２には、バウンド抑制部材１５を収納可能な領域が形成されている。そのため、サブミラー保持部材１４は、バウンド抑制部材１５を覆い隠すように折り畳まれる。これによりミラーアップ位置に到達した際のバウンド抑制部材１５に起因する内面反射が抑制されるため、バウンド抑制部材１５への塗装などのコストアップを抑えることができる。
【００５０】
以上のように、本実施例によれば、簡易な構成かつ省スペースで効果的なミラーバウンドの抑制をし、撮像時における部材の内面反射や映り込みを抑制することができる。
【００５１】
また、図１０に示されるように、ばね１６をメインミラー保持部材１２の軸部１２ａに平行に、かつメインミラー保持部材１２の軸部１２ａ側の辺とは反対側の辺の先端付近に配置してもよい。ミラーダウン位置に移行する際、バウンド抑制部材１５は、図７および図８と同様の動作および効果を示す。
【００５２】
おもり１７が軸部１２ａ回りでの所定の慣性モーメントを得るにあたっては、おもり１７の位置が軸部１２ａから離れているほどおもり１７の質量は小さくて済む。また、おもり１７からの力によってメインミラー保持部材１２のバウンドを妨げるモーメントを得るにあたっては、板ばね１６のメインミラー保持部材１２との固定位置が軸部１２ａから離れているほど、より大きなモーメントが得られる。よって板ばね１６の第１端１６ａと第２端１６ｂは、軸部１２ａからできるだけ離して配置するのが望ましい。
【００５３】
図１０のような構成を有することで、ミラーユニット全体の質量増加を抑えることができる。
【実施例３】
【００５４】
図１１は、本実施例のクイックリターンミラーユニット３の斜視図である。図１１に示されるように、本実施例では、サブミラー保持部材１４がサブミラー保持枠１４ａ、バウンド抑制可動部１４ｂおよび弾性部１４ｃで構成されている。その他の構成は、他実施例と同様である。
【００５５】
バウンド抑制可動部１４ｂにサブミラー１３が取り付けられている。また、バウンド抑制可動部１４ｂは、サブミラー保持枠１４ａの短手方向に沿ってスライドすることで移動可能である。
【００５６】
バウンド抑制可動部１４ｂは、静止状態でメインミラー保持部材１２の非対物面と接触状態となっている。ミラーアップ位置からミラーダウン位置に回動したメインミラー保持部材１２がメインミラーストッパ２２に当接した際に、弾性部１４ｃが弾性変形することによって、バウンド抑制可動部１４ｂは、メインミラー保持部材１２の非対物面と分離可能となっている。
【００５７】
メインミラー保持部材１２がミラーダウン位置に到達すると、メインミラー保持部材１２は、メインミラーストッパ２２に当接し、メインミラーストッパ２２から反発力を受けバウンドする。しかし、サブミラー保持枠１４ａ内でバウンド抑制可動部１４ｂが動き、所定のタイミングでメインミラー保持部材１２に力を及ぼすことにより、メインミラー保持部材１２のバウンドが抑制される。この動作および効果は他実施例において説明したバウンド抑制部材１５と同様である。
【００５８】
本実施例では、バウンド抑制部材１５を備え、さらに上述した機構を備えているが、バウント抑制部材を取り外してもよい。この場合、クイックリターンミラーユニット３中にバウンド抑制機構が含まれているだけで、バウンド抑制のための専用部材を必要としない。そのため、ミラーユニット全体の質量増加ならびに占有スペースの増大を抑えることができる。
【００５９】
なお、本実施例では、弾性部１４ｃはばね性のある板状のもので記載されているが、圧縮ばね等でもよい。
【００６０】
以上のように、本実施例によれば、簡易な構成でより効果的にミラーバウンド抑制効果を得られる。
【００６１】
以上、本発明の好ましい実施形態について説明したが、本発明はこれらの実施形態に限定されず、その要旨の範囲内で種々の変形及び変更が可能である。
【符号の説明】
【００６２】
１    カメラ本体（撮像装置）
２    撮影レンズ（撮影光学系）
３    クイックリターンミラーユニット（ミラー部材）
５    撮像素子
１５  バウンド抑制部材
１６  ばね部材
１７  おもり
２２  メインミラーストッパ（当接部材）
【図１】
2015108776.tif 000003
【図２】
2015108776.tif 000004
【図３】
2015108776.tif 000005
【図４】
2015108776.tif 000006
【図５】
2015108776.tif 000007
【図６】
2015108776.tif 000008
【図７】
2015108776.tif 000009
【図８】
2015108776.tif 000010
【図９】
2015108776.tif 000011
【図１０】
2015108776.tif 000012
【図１１】
2015108776.tif 000013